(57)【特許請求の範囲】
【請求項１】
壁面に取り付けられる器具本体と、外部からの給電を行うための電源線と、器具本体への電源線の引き込み部位に設けられ、両端が開口するとともに両端の開口を通して内部に電源線が挿通される引き込み部とを備え、器具本体内側における引き込み部の開口の鉛直方向最下端が、器具本体外側における引き込み部の開口の鉛直方向最上端から電源線の直径分だけ鉛直下方に降りた位置よりも鉛直上方に位置する形状に引き込み部を形成した照明器具において、器具本体は、底壁が平坦である有底筒状に形成され、当該底壁の中央に引き込み部の端部が挿通される孔が設けられてなり、引き込み部は弾性体からなり、軸に直交する断面形状が略円形であって前記底壁に近い側の端部に平板状の外鍔が一体に形成され、且つ両端の開口を繋ぐ電源線挿通用の挿通孔の直径が当該電源線の線形よりも小さく形成されて当該電源線が圧入されてなり、器具本体の底壁の内側から底壁との間で外鍔を狭持する押さえ金具によって引き込み部が器具本体に取り付けられることを特徴とする照明器具。
【発明の詳細な説明】
【０００１】
【発明の属する技術分野】
本発明は、照明器具に関するものである。
【０００２】
【従来の技術】
浴室のように水気の多い場所に設置される照明器具においては、器具内部に正常な動作を阻害するような浸水が生じるのを防ぐため、給電用の電源線を器具本体内に引き込む部位に弾性体からなるブッシングやパッキンを設けている。すなわち、ブッシングやパッキンには電源線よりも径の小さい孔が貫通させてあり、この孔に電源線を圧入することで弾性体の弾性力により孔と電源線との隙間を塞いで上記引き込み部位からの浸水を防止していた（実開平５−１７８５５号公報、実公昭５６−４８８号公報等参照）。
【０００３】
【発明が解決しようとする課題】
しかしながら、上記従来例においては、ブッシングやパッキンが経年劣化により弾性力が低下して孔と電源線との間に隙間ができて浸水してしまう虞や、施工状態によっては電源線に張力が作用し、その張力によって孔と電源線との間に隙間ができて浸水してしまう虞があった。
【０００４】
本発明は上記事情に鑑みて為されたものであり、その目的とするところは、経年劣化や施工状態に影響されることなく電源線の引き込み部からの浸水を防止した照明器具を提供することにある。
【０００５】
【課題を解決するための手段】
請求項１の発明は、上記目的を達成するために、壁面に取り付けられる器具本体と、外部からの給電を行うための電源線と、器具本体への電源線の引き込み部位に設けられ、両端が開口するとともに両端の開口を通して内部に電源線が挿通される引き込み部とを備え、器具本体内側における引き込み部の開口の鉛直方向最下端が、器具本体外側における引き込み部の開口の鉛直方向最上端から電源線の直径分だけ鉛直下方に降りた位置よりも鉛直上方に位置する形状に引き込み部を形成した照明器具において、器具本体は、底壁が平坦である有底筒状に形成され、当該底壁の中央に引き込み部の端部が挿通される孔が設けられてなり、引き込み部は弾性体からなり、軸に直交する断面形状が略円形であって前記底壁に近い側の端部に平板状の外鍔が一体に形成され、且つ両端の開口を繋ぐ電源線挿通用の挿通孔の直径が当該電源線の線形よりも小さく形成されて当該電源線が圧入されてなり、器具本体の底壁の内側から底壁との間で外鍔を狭持する押さえ金具によって引き込み部が器具本体に取り付けられることを特徴とし、引き込み部の内部では電源線が水平に対して器具本体の外側に向けて鉛直下方に傾斜することとなり、経年劣化や施工状態に影響されることなく電源線の引き込み部からの浸水を防止できる。
【０００６】
【発明の実施の形態】
本発明の実施形態を説明する前に、本発明の参考例について説明する。
本参考例は、浴室のように水気の多い場所に設置される照明器具であって、図２に示すように壁面に取り付けられる器具本体１と、外部からの給電を行うための電源線３と、器具本体１への電源線３の引き込み部位に設けられ、両端が開口するとともに両端の開口１１Ａ，１１Ｂを通して内部に電源線３が挿通される引き込み部１０とを備える。
【０００７】
器具本体１は前面が開口する有底円筒形であって、その内部に蛍光灯のような光源、安定器などが収納される。また、器具本体１の前面には透光性材料からなる有底円筒形のグローブ２が着脱自在に装着される。
【０００８】
引き込み部１０は、図１に示すように軸に直交する断面形状が略円形であって、両端面を軸に対して略同一角度で傾けた筒状に形成されており、器具本体１の底面中央より一端側を突出するとともに器具本体１の外側に位置する開口１１Ｂが器具本体１の内側に位置する開口１１Ａよりも鉛直下方に位置する形で器具本体１に取り付けられ、その内部空洞（挿通孔１０ａ）に電源線３（あるいは電源線３と接地線４）が挿通される。この引き込み部１０は器具本体１を壁面に取り付けたときに壁面に設けた孔に挿通され、壁に埋め込まれた配線用の埋込ボックス内に進出するようになっている。
【０００９】
ここで、図１（ｃ）に示すように、器具本体１の内側に位置する引き込み部１０の一端側の開口１１Ａの鉛直方向最下端ＭＢが、器具本体１の外側に位置する他端側の開口１１Ｂの鉛直方向最上端から電源線３の直径分だけ鉛直下方に降りた位置ＭＴよりも鉛直上方に位置する形状に引き込み部１０を形成している。すなわち、引き込み部１０の挿通孔１０ａでは、通常、電源線３が開口１１Ｂ側を下にして傾斜した状態となるが（図１（ｂ）参照）、施工状況（例えば、電源線３に張力がかかっている状況）によっては、図１（ｃ）に示すように電源線３が開口１１Ａ側の最下端ＭＢと開口１１Ｂ側の最上端に当接する状態となる。しかしながら、このような状況であっても引き込み部１０を上述のような形状に形成しているため、電源線３は開口１１Ｂ側を下にして傾斜した状態に保持されることとなる。
【００１０】
このように本参考例では、挿通孔１０ａにて電源線３が常に水平に対して器具本体１の外側に向けて鉛直下方に傾斜するような形状に引き込み部１０を形成しているので、従来例のように経年劣化や施工状態に影響されることなく、電源線３や壁面に付着した水分が電源線３の引き込み部１０から浸水するのを防止できるものである。なお、図３に示すように、挿通孔１０ａの直径に応じてＶＶＦケーブルからなる電源ケーブル５も引き込み部１０に挿通可能である。また、電源線３や電源ケーブル５を器具本体１から引き出す場合だけでなく、器具本体１へ引き込んで器具本体１内で端子台等に結線する場合においても同様の作用効果を奏することはいうまでもない。
【００１１】
ところで、引き込み部材１０を弾性体で形成する場合、電源線３にかかる張力等によって引き込み部材１０が変形し、両端の開口１１Ａ，１１Ｂが上述のような上下関係にならない虞がある。このような場合には、図４に示すように金属板等の剛体からなる押さえ板１２を引き込み部材１０の周面に当接させてその変形を抑えるようにすればよい。
【００１２】
図５は本発明の実施形態の簡略化した斜視図、図６は詳細且つ一部破断した側面図、図７は要部の分解斜視図をそれぞれ示す。但し、本実施形態の基本的な構成は上述した参考例と共通であるから、共通する構成要素には同一の符号を付して説明を省略する。
【００１３】
本実施形態は、引き込み部１０をシリコンゴムのような弾性体で形成するとともに挿通孔１０ａの直径を電源線３及び接地線４の線径よりも小さくして挿通孔１０ａに電源線３並びに接地線４を圧入する点に特徴がある。また、電源線３が常に水平に対して器具本体１の外側に向けて鉛直下方に傾斜するような形状に引き込み部１０を形成している点は参考例と共通である。
【００１４】
器具本体１はアルミ等の金属材料を加工して形成され、周壁１ａの内周面には雌ねじ部１ｂが設けられている。グローブ２はアクリルのような透光性樹脂からなり、器具本体１への取付部位の外周面に雄ねじ部２ａが形成され、リング状の弾性体からなるグローブパッキン６を挟み込むようにして雄ねじ部２ａを雌ねじ部１ｂに螺合させることで器具本体１に着脱自在に装着される。また、器具本体１の底壁１ｃの中央には引き込み部１０の端部を挿通する孔１ｄが設けられ、その周囲には、後述するように引き込み部１０を器具本体１に取り付けるための取付ねじ７，７を挿通するねじ挿通孔１ｅ，１ｅが設けられている。
【００１５】
引き込み部１０は、開口１１Ａ側の端部に平板状の外鍔１３が一体に形成され、この外鍔１３には取付ねじ７，７を挿通する孔１３ａ，１３ａが貫設されている。而して、引き込み部１０の開口１１Ａ側の端部を器具本体１の底壁１ｃの孔１ｄに挿通するようにして外鍔１３を底壁１ｃの内側から当接し、外鍔１３の形状に合わせて有底筒状に形成された金属製の押さえ金具８を外鍔１３に被せるとともに、器具本体１の外側から底壁１ｃのねじ挿通孔１ｅ，１ｅ及び外鍔１３の孔１３ａ，１３ａに挿通した取付ねじ７，７を、押さえ金具８に設けたねじ孔８ａ，８ａに螺合させることによって、器具本体１の底壁１ｃと押さえ金具８との間で外鍔１３が挟持されて引き込み部１０が器具本体１に取り付けられる。そして、底壁１ｃと壁面との間に弾性体からなる防水パッキン９を介在させて器具本体１が壁面に取り付けられる（図６参照）。
【００１６】
本実施形態は上述のように構成されるものであり、引き込み部１０の挿通孔１０ａに電源線３並びに接地線４を圧入する構造とした場合であっても、参考例と同様に経年劣化や施工状態に影響されることなく、電源線３の引き込み部１０からの浸水を防止できるものである。
【００１７】
【発明の効果】
請求項１の発明は、上記目的を達成するために、壁面に取り付けられる器具本体と、外部からの給電を行うための電源線と、器具本体への電源線の引き込み部位に設けられ、両端が開口するとともに両端の開口を通して内部に電源線が挿通される引き込み部とを備え、器具本体内側における引き込み部の開口の鉛直方向最下端が、器具本体外側における引き込み部の開口の鉛直方向最上端から電源線の直径分だけ鉛直下方に降りた位置よりも鉛直上方に位置する形状に引き込み部を形成した照明器具において、器具本体は、底壁が平坦である有底筒状に形成され、当該底壁の中央に引き込み部の端部が挿通される孔が設けられてなり、引き込み部は弾性体からなり、軸に直交する断面形状が略円形であって前記底壁に近い側の端部に平板状の外鍔が一体に形成され、且つ両端の開口を繋ぐ電源線挿通用の挿通孔の直径が当該電源線の線形よりも小さく形成されて当該電源線が圧入されてなり、器具本体の底壁の内側から底壁との間で外鍔を狭持する押さえ金具によって引き込み部が器具本体に取り付けられるので、引き込み部の内部では電源線が水平に対して器具本体の外側に向けて鉛直下方に傾斜することとなり、経年劣化や施工状態に影響されることなく電源線の引き込み部からの浸水を防止できるという効果がある。
【図面の簡単な説明】
【図１】  本発明の参考例における引き込み部を示し、（ａ）は斜視図、（ｂ）及び（ｃ）は側面断面図である。
【図２】  同上の斜視図である。
【図３】  同上の斜視図である。
【図４】  同上の他の構成を示す斜視図である。
【図５】  本発明の実施形態を示す斜視図である。
【図６】  同上の一部破断した側面図である。
【図７】  同上における要部の分解断面図である。
【符号の説明】
１  器具本体
３  電源線
１０  引き込み部
１１Ａ，１１Ｂ  開口
【図１】
0004154887.tif 000002
【図２】
0004154887.tif 000003
【図３】
0004154887.tif 000004
【図４】
0004154887.tif 000005
【図５】
0004154887.tif 000006
【図６】
0004154887.tif 000007
【図７】
0004154887.tif 000008